(57)【特許請求の範囲】
【請求項１】
土台枠と、
長手方向側縁に折曲形成された折曲部を有する複数のパネルからなり、該折曲部同士が隣位のパネルと係合し合う嵌合接続構造をなした壁面パネルと、
両側縁に前記壁面パネルの一側の嵌合部と嵌合し得るように折曲形成された折曲部を有し該壁面パネルを長手方向略中央で直角に折曲した形状のコーナーパネルと、
土台枠に固定され、前記壁面パネルおよびコーナーパネルの下端が可及的密に嵌合する断面上向きコ字状に折曲形成された床溝部を周囲に有する床パネルと、
長手方向側縁に折曲形成された折曲部を有する複数のパネルからなり、該折曲部同士が隣位のパネルと係合し合うようになした嵌合接続構造をなし、前記壁面パネルおよびコーナーパネルの上端が可及的密に嵌合する断面下向きコ字状に折曲形成された天井溝部を周囲に有する天井パネルと、
長手方向側縁に折曲形成された折曲部を有する複数のパネルからなり、該曲折部同士が隣位のパネルと係合し合うようになした嵌合接続構造をなし、前記天井パネルの上に断熱材を介在して取り付けられる屋根パネルと、
を備えたことを特徴とする機器類収容函。
【請求項２】
前記屋根パネルの嵌合接続構造は、隣位のパネルの曲折部に対して上から嵌合して雨じまいする嵌合接続構造をなすことを特徴とする請求項１に記載の機器類収容函。
【請求項３】
前記床パネルと壁面パネルとの交点、および前記天井パネルと壁面パネルとの交点の各室内側に斜材が固着されている請求項１記載の機器類収容函。
【発明の詳細な説明】
【０００１】
【発明の属する技術分野】
本発明は、通信機器や臨時的に設置される現金自動取引機（ＡＴＭ）、その他の機器類の収容に用いる収容函に係り、特に通信装置架収納用として最適な簡易組み立て式の機器類収容函に関する。
【０００２】
【従来の技術】
従来、通信装置架を収容する収容函は、基礎に土台を設置して固定し、この土台に所定本数の柱を建て、これら柱を梁で結合して骨組みとなる枠体を構築し、この枠体の周囲にパネルを溶接またはボルト締めして壁面を形成するとともに屋根材を張装することにより収容函とするようになされている。これらに関しては、通信装置架収容函に限らず、例えば臨時設置用ＡＴＭ等の機器類を収納する収容函をはじめ、各種用途に供される収容函においても同様である。
【０００３】
【発明が解決しようとする課題】
しかるに従来の収容函の構造では、枠体を所定の仕上がり寸法に形成するために柱の角度や位置決めを正確に行わなければならず、それには専用の治具を用いて組み立てなければならないことをはじめ、壁面を構成するパネルの取り付け時に位置合わせのための仮止め工程や枠体構築用治具の撤去工程等が必要となってきわめて煩わしい作業が強いられることになり、その結果、組み立てに多くの工数を要することになって短時間での構築が難しく、勢い高価になるなどの問題点があった。
【０００４】
本発明は上記従来の技術が有する問題点を除去することを課題としてなされたもので、無柱構造の組み立て式として構築時における煩わしい作業を全廃し、特別な技術を要することなくかつ迅速に組み立てることを可能とする機器類収容函を提供することにある。
【０００５】
【課題を解決するための手段】
上記課題を解決する手段として本発明は、土台枠と、長手方向側縁に折曲形成された折曲部を組み合わせてなる嵌合部を有し、該嵌合部同士が隣位のパネルと係合し合うようになした壁面パネルと、両側縁に前記壁面パネルの一側の嵌合部と嵌合し得るように折曲形成された折曲部を組み合わせてなる嵌合部を有し該壁面パネルを長手方向略中央で直角に折曲した形状のコーナーパネルと、土台枠に固定され、前記壁面パネルおよびコーナーパネルの下端が可及的密に嵌合する断面上向きコ字状に折曲形成された床溝部を周囲に有する床パネルと、前記壁面パネルおよびコーナーパネルの上端が可及的密に嵌合する断面下向きコ字状に折曲形成された天井溝部を周囲に有するとともに、長手方向側縁に折曲形成された折曲部を組み合わせてなる嵌合部同士が隣位のパネルと係合し合うようになした天井パネルと、前記天井パネルの上に断熱材を介在して取り付けられ、隣位のパネルと係合し合うように長手方向側縁に折曲形成された折曲部を組み合わせてなる嵌合部を有する屋根パネルと、を備えたことを特徴とする。
【０００６】
こうしたことにより、収容函の側壁を構成する壁面パネルは互いの嵌合部を嵌合して接続することにより一連の壁面を構成することができ、これら壁面パネルおよびコーナーパネルを含みその上下端は床パネルおよび天井パネルの各周囲に折曲形成された床溝部および天井溝部に嵌合してネジ止め等により固着するだけで収容函を形成することができるので、組み立て時に特別な治具や溶接等の作業が一切不要であり、組み立てや解体を短時間で行うことができる。
【０００７】
また組み立てたのちにおいては、コーナーパネルを含む壁面パネルの上下端は床パネルおよび天井パネルの周囲に形成された床溝部および天井溝部に嵌合して固着されるので収容函としての剛性が高く、風や地震に対し強靱な構造物とすることができる。
【０００８】
前記床パネルと壁面パネルとの交点、および前記天井パネルと壁面パネルとの交点の各室内側に斜材を固着すれば、地震に対し一層強靱な構造とすることができる。
【０００９】
【発明の実施の形態】
以下、本発明を図面に示す実施の形態を参照して説明する。
【００１０】
図１は本発明による機器類収容函の一実施形態の組み立て状態の分解斜視図で、その構成部材としては、図１には示されていないが基礎上に所要の間隔をおいて配設される支持脚１と、この支持脚１上に固着される平面視矩形状の土台枠２と、この土台枠２上に敷設される床パネル３と、壁面パネル４と、コーナーパネル５と、天井パネル６と、屋根パネル７と、出入口８ａ用の扉８とを基本構成部材とされており、これらはいずれも鋼材もしくはアルミ材等が用いられる。
【００１１】
前記土台枠２は、図２〜図５に示すように断面コ字状を有する型材９、９（チャンネル材）のウェブ９ａ、９ａを背合わせにしてボルト１０、１０により結合した構造のもので、コーナー部分は互いの型材９、９のフランジ９ｂ、９ｂの端部を図４にみられるように入り組ませてある。また中間部には前記と同様の型材９、９を腹合わせにして両者を固着した補強材１１が設けられ、この補強材１１はＬ型の金具１２により両端を前記支持脚１上に固着するようになっている。
【００１２】
上記土台枠２は、図２に示すようにそのフランジ９ｂと前記支持脚１とが所要数のボルト１３で締結される。
【００１３】
前記床パネル３は、図２、図３にみられるように、上板１４と下板１５とを有し、その間に必要によりウレタンフォーム、スチレンフォーム等の断熱材１６が充填される。
【００１４】
前記下板１５は、前記土台枠２の上面外端縁に至る寸法の平板状とされ、また前記上板１４は図３、図６、図７に示されているようにその周囲が断面上向きコ字状に折曲されて壁面パネル４およびコーナーパネル５の下端が可及的密に嵌合し得る床溝部１７が形成されており、この床溝部１７の底部１７ａの下面が下板１５の上面に重ねられている。またこの床溝部１７の底部１７ａ、下板１５および土台枠２のフランジ９ｂには締結用のボルト１８を通すためのボルト孔１９が所定のピッチをもって穿設されている。
【００１５】
上記床パネル３は、前記土台枠２と同じ大きさのものとしてもよいが、製造上および収容函の大きさの種類に対応できるよう、図８にその具体例の平面図を示すように、収容函の長手方向両端部用の床パネル３Ａ、３Ｃと中間部用の床パネル３Ｂとを別個に設け、端部用の床パネル３Ａ、３Ｃにはその一方の長辺と両端の短辺の３辺に床溝部１７を、中間部用の床パネル３Ｂにはその両端部に床溝部１７が形成され、各床パネルの幅を選択することにより収容函の大きさに適合させるようにすることが好ましい。
【００１６】
次に壁面パネル４は、図９に外観の正面図を、図１０に連結状態の水平断面図を示すように、室内側の壁面を構成する内板２０と、室外側の壁面を構成する外板２１とを有し、その間に必要によりウレタンフォーム、スチレンフォーム等の断熱材が充填される。
【００１７】
前記内板２０は、高さ２５００ｍｍ程度の縦長矩形状を有するもので、図１０の断面図に示すように長手方向両側縁に嵌合部２２、２３が折曲形成されている。
【００１８】
一方の嵌合部２２は、外板２１方向へ直角に折曲された第１面部２２１と、この第１面部２２１から内板２０と並行に折り返された第２面部２２２と、この第２面部２２２の端部から前記第１面部２２１に平行するよう折り返され該第２面部２２２の半幅を超えて延びる第３面部２２３と、この第３面部２２３の末端から前記第２面部２２２と平行に所要長さ折曲された第４面部２２４とで断面略正方形状をなすように構成されている。
【００１９】
他方の嵌合部２３は、内板２０の側端から前記第１面部２２１の内のり寸法と等しい長さをもって直角に折曲された第５面部２３５と、この第５面部２３５から直角に折り返され前記第２面部２２２よりやや短い寸法の第６面部２３６とで構成されている。
【００２０】
前記外板２１は、その両側縁が直角に折曲された第７面部２１７および第８面部２１８と、これら各面部２１７、２１８の末端から外方へ向け直角に折曲された第９面部２１９および第１０面部２１１０とを有している。
【００２１】
したがって図１０に示すように、前記内板２０の嵌合部２２を燐位の内板２０の嵌合部２３に外嵌し、その第４面部２２４の内側に外板２１の一側縁の第１０面部２１１０を嵌め込み、他側の第９面部２１９を内板２０の他側の第４面部２２４にそわせ、該部においてリベット、タッピンネジ等により３者を固着することにより中空の壁面パネル４が構成される。そして内板２０と外板２１との間にはウレタンフォーム、スチレンフォーム等の断熱材（図示せず）が充填される。
【００２２】
前記外板２１の上、下端は、内板２０と外板２１との間の間隔に相当する幅をもって直角に折曲され、下端の折曲片２４ａは図３にみられるように土台枠２のフランジ９ｂと床パネル３の下板１５と、同じく上板１４の床溝部１７の底部１７ａとがボルト１８により共締めされて該床溝部１７に固着されるようになっている。
【００２３】
前記コーナーパネル５は、図１１に断面図を示すように、前記壁面パネル４の内板２０および外板２１をその長手方向中央で直角に折曲した形態を有するもので、その内板２５の両側端には前記壁面パネル４の嵌合部２２と同じ形状の嵌合部２６、２６を備え、壁面パネル４の嵌合部２３、２３と嵌合し合うようになされている。外板２１も同様であり、各嵌合接続構造も壁面パネル４と同様であるので、その詳細な説明は省略する。
【００２４】
図１２（Ａ）〜（Ｃ）は天井パネル６および屋根パネル７の断面図を示すもので、これらパネルも前記床パネル３と同様に両端部用と中間部用との３つに分割して構成され、収容函の大きさに対応できるようになされている。
【００２５】
端部用の天井パネル６Ａ、６Ｃ（図１２（Ａ）、（Ｃ））の３辺には、上方に突出するよう凹陥して側面パネル４およびコーナーパネル５の上端が可及的密に嵌合し得る天井溝部２７が折曲形成され、中間部の天井パネル６Ｂはその両端縁に天井溝部２７が形成されている。また各天井パネルの接合端は上方に断面コ字状をなすよう折曲された係合部２８が形成されている。
【００２６】
また前記天井溝部２７の外側端には屁部２９が延設されている。中間部用のパネル６Ｂは、前記端部用の天井パネル６Ａ、６Ｃを含み相互に連結するため前記係合部２８に嵌合する係合部３０、３１が形成されている。
【００２７】
前記屋根パネル７は、前記天井パネル６の各パネル６Ａ〜６Ｃと対応するよう分割して構成され、端部用の屋根パネル７Ａ、７Ｃの長手方向一側の外端縁および両端の短辺は屋根の厚みを作るべく下方へ向けて直角に折曲された縁部３２と、その下端から内側へ直角に折曲されて前記屁部２９上に重ねられる折曲片３３とを有し、長手方向他側縁には中間部用の屋根パネル７Ｂの一側の横向きコ字状に折曲された係合部３４に嵌合して雨じまいを構成する下向きコ字状に折曲された嵌合部３５が形成されている。
【００２８】
前記中間部用の屋根パネル７Ｂの前記係合部３４とは反対側の側端縁には、隣位の屋根パネル７Ｂまたは７Ｃの係合部３４に上から嵌合して雨じまいとする嵌合部３５が形成されている。
【００２９】
前記天井パネル６と屋根パネル７との間にはウレタンフォーム、スチレンフォーム等の断熱材３６が充填される。
【００３０】
前記床パネル３の上板１４と壁面パネル４の内板２０との交わる隅部、および天井パネル６と壁面パネル４の内板２０との交わる隅部には、それぞれ斜材３７、３７をボルト３８、３８（またはビス）等により固着して筋違いとされ、収容函の耐震性を確保するようになされている。
【００３１】
なお図３において符号３９は、土台枠２の外側面を隠蔽するとともに雨水の浸入を防ぐための添板である。
【００３２】
次に上記各構成部材により通信装置架収容函を構築する手順について説明する。
【００３３】
まず、平坦な設置場所に支持脚１、１…を所定数配置し、その上に土台枠２を載置して支持脚１、１…にボルト１３、１３…により固定する。次いでこの土台枠２上に床パネル３の下板１５を載置し、この下板１５上に断熱材１６を敷き詰めてその上に上板１４を載置する。これにより土台枠２の四辺の上面に上板１４の周囲の床溝部１７が位置される。
【００３４】
一方、土台枠２の各辺の長さに相当する横幅となるよう複数枚の壁面パネル４、４…およびコーナーパネル５、５…を図１、図１０に示したように互いに嵌合接続して壁面を構成する。このとき壁面パネルの一部は扉８として出入口８ａとする。
【００３５】
前記壁面パネル４、４…およびコーナーパネル５、５…の下端は、前記床パネル３の上板１４によって構成される床溝部１７内に密に嵌め込む。
【００３６】
こうしたのち図３に一部を示すように、壁面パネル３の下端の折曲片２４ａと、床パネル３の床溝部１７の底部１７ａと、下板１５と、土台枠２のフランジ９ｂとをボルト１８により共締めすることにより土台枠２上に床パネル３、壁面パネル４が一挙にかつ強固に固定される。
【００３７】
こうして四周の壁面が形成されたのちその上端に天井パネル６を載せ、この天井パネル６の周囲の天井溝部２７を壁面パネル４、４…およびコーナーパネル５、５の上端に密に嵌合させ、この天井溝部２７の底部と壁面パネル４の上端の折曲片２４ｂとをタッピンネジ等により固定する。
【００３８】
この天井パネル６を固定したのちその上に断熱材３６を敷き詰め、さらにその上に屋根パネル７を載置してその縁部３２の下端の折曲片３３を天井パネル６の屁部２９上に重ね、タッピンネジ等により両者を固着する。屋根パネル７の継ぎ目は、係合部３４と嵌合部３５との嵌合により雨水の浸入が防がれる。
【００３９】
最後に壁面パネル４の内板２０と床パネル３の上板１４とが交わる隅部、および前記内板２０と天井パネル６とが交わる隅部にそれぞれ斜材３７、３７をボルト３８、３８により固着することで収容函の剛性を高める。
以上により機器類収容函が完成する。
【００４０】
なお、通信装置架収容函とする場合は、壁面パネル４の適所に収容函内の通信装置に接続するケーブル類の挿通孔を設けておくものとする。また通信装置架収容函の内部には空調設備が設けられ、それに必要なケーブルやダクト類の挿通孔が設けられる。
【００４１】
また必要により、各嵌合接続部等は接着剤を用いて固着するようにしてもよい。
【００４２】
【発明の効果】
以上説明したように本発明によれば、柱を用いることなく壁面パネルとコーナーパネルとの嵌合接続のみによって収容函を組み立てることができるので、組み立て時に特別な治具や溶接等が全く不要であり、組み立て解体を迅速に行うことができる。
【００４３】
また側面パネルおよびコーナーパネルの上下端は、床パネルおよび天井パネルの周囲に形成された床溝部と天井溝部に密に嵌合して保持されるので、安定して設置することができるとともに治具類を用いるまでもなく位置決めが容易であり、熟練技術を要することなく簡単にかつ正確に組み立てることができる。
【００４４】
さらに床パネル、壁面パネルは土台枠にボルトで共締めされるので強固な構造となり、耐震性にも優れた収容函とすることができる。
【００４５】
請求項２のように、床パネルと壁面パネルとが交わる隅部、および壁面パネルと天井パネルが交わる隅部に斜材を固着すれば、一層耐震性を高め、収納される機器類の保護を確実なものとすることができる。
【図面の簡単な説明】
【図１】本発明による機器類収容函の一実施形態の分解斜視図。
【図２】同、組み立て後の一部の縦断面図。
【図３】同、一部の拡大図。
【図４】土台枠の斜視図。
【図５】同、一部を拡大して断面表示した斜視図。
【図６】床パネルの上板の一部の斜視図。
【図７】同、一部の拡大斜視図。
【図８】床パネルの具体例を示す平面図。
【図９】壁面パネルの正面図。
【図１０】壁面パネルの嵌合部構造の一例を示す横断面図。
【図１１】コーナーパネルおよびその接合嵌合構造を示す横断面図。
【図１２】（Ａ）〜（Ｃ）は天井パネルおよび屋根パネルの断面図で、（Ａ）、（Ｃ）は端部用、（Ｂ）は中間用を示す。
【符号の説明】
１  支持脚
２  土台枠
３  床パネル
４  壁面パネル
５  コーナーパネル
６  天井パネル
７  屋根パネル
８  扉
１１  補強材
１４  床パネルの上板
１５  同、下板
１７  床溝部
２０  壁面パネルの内板
２１  同、外板
２２、２３  嵌合部
２４ａ、２４ｂ  折曲片
２５  コーナーパネルの内板
２７  天井溝部
２９  屁部
３７  斜材
【図１】
0003604645.tif 000002
【図２】
0003604645.tif 000003
【図３】
0003604645.tif 000004
【図４】
0003604645.tif 000005
【図５】
0003604645.tif 000006
【図６】
0003604645.tif 000007
【図７】
0003604645.tif 000008
【図８】
0003604645.tif 000009
【図９】
0003604645.tif 000010
【図１０】
0003604645.tif 000011
【図１１】
0003604645.tif 000012
【図１２】
0003604645.tif 000013